(57)【要約】【課題】  支持対象物の円滑な移動と、停止状態での安定性を両立させる。【解決手段】  アーム１１１および１２１は、薄型スピーカ２００の底面に基端部が支持され、この基端部を支点として旋回可能である。アーム１１１および１２１の先端部近傍では、薄型スピーカ２００の底面から遠ざかる旋回方向にキャスタ１１２ａ、１１２ｂ、１２２ａ、１２２ｂが突出している。アーム１１１および１１２が折り畳まれた状態では、各キャスタが地面４００と接触する。アーム１１１および１２１を薄型スピーカ２００の底面から遠ざかる方向に旋回させると、アーム１１１および１２１の先端が広がり、アーム１１１の先端部におけるキャスタと反対側の部位と、アーム１２１の先端部におけるキャスタと反対側の部位が地面４００に接触する。この状態において、支持装置１００は、アーム１１１および１２１を広げて踏ん張った状態で薄型スピーカ２００を支持する。【選択図】図１
2019047470.tif 000002
【特許請求の範囲】
【請求項１】
支持対象物の底面に基端部が支持され、前記基端部を支点として旋回可能な複数のアームと、
前記複数のアームの前記基端部と反対側の先端部近傍において、前記支持対象物の底面から遠ざかる前記アームの旋回方向に突出した複数のキャスタと
を具備することを特徴とする支持装置。
【請求項２】
前記アームは、湾曲した棒状部、または折れ曲がった棒状部、または複数繋ぎ合わせた棒状部からなり、この棒状部の両端部が前記基端部として前記底面部に支持されるものであり、
前記アームの途中の複数箇所に前記キャスタが取り付けられていることを特徴とする請求項１に記載の支持装置。
【請求項３】
前記アームは、各々の基端部が前記底面部に支持された２本の縦棒部と、前記２本の縦棒部の先端部に両端が連結された横棒部とからなり、
前記縦棒部と前記横棒部との連結箇所近傍に前記キャスタが取り付けられていることを特徴とする請求項２に記載の支持装置。
【請求項４】
前記底面における互いに離れた位置に各々の基端部が支持され、各々の先端部を相手の基端部のある方向に向け、各々相手の基端部から遠ざかる方向に旋回可能な第１および第２のアームを有することを特徴とする請求項２または３に記載の支持装置。
【請求項５】
前記第１および第２のアームが前記底面部から遠ざかる方向に旋回することにより、前記第１および第２のアームの各先端部が、前記支持対象物の厚さ方向に広がることを特徴とする請求項４に記載の支持装置。
【発明の詳細な説明】
【技術分野】
【０００１】
この発明は、支持機能と搬送機能を備えた支持装置に関する。
【背景技術】
【０００２】
平面スピーカ等の薄型スピーカは、床や地面に起立させて使用する際に、不安定で転倒し易いという問題がある。このため、薄型スピーカには、転倒防止のための支持脚が設けられる場合がある。また、薄型スピーカに関して、音響空間の状況に合わせて、その配置を変えたいという要求や、演奏等の現場に持ち運んで使用したいという要求がある。このような要求に応える技術として、特許文献１に記載の技術がある。この特許文献１に記載の技術では、薄型スピーカの底面にキャスタが取り付けられる。
【先行技術文献】
【特許文献】
【０００３】
【特許文献１】特許第３１１８３６３号
【発明の概要】
【発明が解決しようとする課題】
【０００４】
特許文献１に記載されているように、薄型スピーカの底面にキャスタを取り付けた場合、薄型スピーカの移動には便利であるが、薄型スピーカを再生に使用しているときにキャスタが回転して薄型スピーカが移動する可能性があるという問題がある。また、キャスタにより薄型スピーカを安定に支持するためには、薄型スピーカの底面を挟むキャスタ対のキャスタ間隔を長くする必要がある。しかし、このキャスタ間隔を長くすると、キャスタが薄型スピーカの移動経路の周辺の障害物と衝突し易くなり、薄型スピーカの円滑な移動の妨げになる。従って、薄型スピーカを支持するキャスタ対のキャスタ間隔を長くするのは困難である。
【０００５】
この発明は以上のような事情に鑑みてなされたものであり、支持対象物の円滑な移動と、停止状態での安定性を両立させることができる技術的手段を提供することを目的とする。
【課題を解決するための手段】
【０００６】
この発明は、支持対象物の底面に基端部が支持され、前記基端部を支点として旋回可能な複数のアームと、前記複数のアームの前記基端部と反対側の先端部近傍において、前記支持対象物の底面から遠ざかる前記アームの旋回方向に突出した複数のキャスタとを具備することを特徴とする支持装置を提供する。
【０００７】
この発明によれば、複数のアームを支持対象物の底面に近づく方向に旋回させることにより、各アームの先端部近傍のキャスタを地面または床面に接触させることできる。この状態では、キャスタを回転させて支持対象物を移動させることができる。また、複数のアームを支持対象物の底面から遠ざかる方向に旋回させることにより、各アームの先端部におけるキャスタと反対側の部位を地面または床面に接触させることができる。この状態では、複数のアームの先端部を広げて踏ん張った状態で支持対象物を安定に支持する。
【図面の簡単な説明】
【０００８】
【図１】この発明の一実施形態である支持装置を利用した薄型スピーカシステムの構成を示す図である。
【図２】同実施形態の支持対象の底面に対する縦棒部の接続態様の詳細を示す図である。
【図３】同実施形態の動作を示す図である。
【図４】この発明の他の実施形態である支持装置の固定機構を示す図である。
【図５】この発明の他の実施形態である支持装置の構成を示す図である。
【図６】この発明の他の実施形態である支持装置の構成を示す図である。
【発明を実施するための形態】
【０００９】
以下、図面を参照し、この発明の実施形態について説明する。
図１（ａ）〜（ｃ）は、この発明の一実施形態である支持装置１００と、その支持対象物である薄型スピーカ２００とからなる薄型スピーカシステム３００を示す図である。さらに詳述すると、図１（ａ）は同薄型スピーカシステム３００の側面図、図１（ｂ）は同薄型スピーカシステム３００をその放音方向から見た正面図、図１（ｃ）は同薄型スピーカシステム３００を地面４００側から見た図である。
【００１０】
薄型スピーカ２００は、薄い矩形板状の外形をなしたスピーカであり、放音面を地面４００（または床面）に対して直交させた状態で放音を行う。薄型スピーカ２００の上部には、取っ手２０１が設けられている。ユーザは、支持装置１００により薄型スピーカ２００を支持し、取っ手２０１を手で掴んで薄型スピーカ２００を移動させる。
【００１１】
本実施形態による支持装置１００は、支持対象物である薄型スピーカ２００の底面に取り付けられた２個のキャスタ付折り畳み式アーム１１０および１２０により構成されている。キャスタ付折り畳み式アーム１１０は、アーム１１１と２個のキャスタ１１２ａおよび１１２ｂを一体化した構造となっている。同様にキャスタ付折り畳み式アーム１２０は、アーム１２１と２個のキャスタ１２２ａおよび１２２ｂを一体化した構造となっている。
【００１２】
キャスタ付折り畳み式アーム１１０において、アーム１１１は、平行な同じ長さの２本の縦棒部１１１ｖａおよび１１１ｖｂと、この２本の縦棒部１１１ｖａおよび１１１ｖｂの各先端部に両端が連結された１本の横棒部１１１ｈとからなる。この例では、横棒部１１１ｈは、縦棒部１１１ｖａおよび１１１ｖｂの各々に対して直角をなしている。なお、横棒部１１１ｈと、縦棒部１１１ｖａおよび１１１ｖｂの各々とがなす角度は、直角でなくてもよい。
【００１３】
また、キャスタ付折り畳み式アーム１２０において、アーム１２１は、平行な同じ長さの２本の縦棒部１２１ｖａおよび１２１ｖｂと、この２本の縦棒部１２１ｖａおよび１２１ｖｂの各先端部に両端が連結された１本の横棒部１２１ｈとからなる。この例では、横棒部１２１ｈは、縦棒部１２１ｖａおよび１２１ｖｂの各々に対して直角をなしている。なお、横棒部１２１ｈと、縦棒部１２１ｖａおよび１２１ｖｂの各々とがなす角度は、直角でなくてもよい。
【００１４】
図１（ｃ）に示す例において、アーム１１１は、直角に折れ曲がった縦棒部１１１ｖａ、横棒部１１１ｈおよび縦棒部１１１ｖｂの各区間からなる一体のアームであるが、複数の別体の棒状部である縦棒部１１１ｖａ、横棒部１１１ｈおよび縦棒部１１１ｖｂをネジ止め、溶接等により繋ぎ合わせたものであってもよい。アーム１２１も同様である。
【００１５】
アーム１１１および１２１は、薄型スピーカ２００の底面における互いに離れた位置に各々の基端部が支持されており、折り畳まれた状態において、各々の先端部を相手の基端部のある方向に向けている。
【００１６】
さらに詳述すると、アーム１１１の２本の縦棒部１１１ｖａおよび１１１ｖｂの先端部（横棒部１１１ｈ側）と反対側の基端部は、薄型スピーカ２００の矩形状の底面の２箇所に蝶番１１３ａおよび１１３ｂにより接続されている。アーム１１１は、縦棒部１１１ｖａおよび１１１ｖｂの基端部（あるいは蝶番１１３ａおよび１１３ｂ）を支点として旋回可能である。
【００１７】
また、アーム１２１の２本の縦棒部１２１ｖａおよび１２１ｖｂの先端部（横棒部１２１ｈ側）と反対側の基端部は、薄型スピーカ２００の矩形状の底面の２箇所に蝶番１２３ａおよび１２３ｂにより接続されている。アーム１２１は、縦棒部１２１ｖａおよび１２１ｖｂの基端部（あるいは蝶番１２３ａおよび１２３ｂ）を支点として旋回可能である。
【００１８】
この例では、縦棒部１１１ｖａおよび１１１ｖｂと縦棒部１２１ｖａおよび１２１ｖｂを薄型スピーカ２００の底面に接続するための接続手段として蝶番を使用しているが、他の接続手段を使用してもよい。支持対象に対して縦棒部を回転可能に保持できる機構であれば、接続手段として使用可能である。
【００１９】
薄型スピーカ２００の矩形状の底面において、アーム１１１が蝶番１１３ａおよび１１３ｂにより接続される位置は、薄型スピーカ２００の厚さ方向両側の２辺のうちの一方の辺の近傍にあり、アーム１１２が蝶番１２３ａおよび１２３ｂにより接続される位置は、他方の辺の近傍にある。
【００２０】
そして、アーム１１１が折り畳まれた状態において、アーム１１１の先端部である横棒部１１１ｈは、アーム１２１の基端部側であって、薄型スピーカ２００の底面の厚さ方向やや外側に位置する。また、アーム１２１が折り畳まれた状態において、アーム１２１の先端部である横棒部１２１ｈは、アーム１１１の基端部側であって、薄型スピーカ２００の底面の厚さ方向やや外側に位置する。従って、アーム１１１および１２１が折り畳まれた状態において、アーム１１１の横棒部１１１ｈとアーム１２１の横棒部１２１ｈは、薄型スピーカ２００の厚さ方向において、薄型スピーカ２００の底面の両外側に位置する。
【００２１】
アーム１１１の横棒部１１１ｈは、アーム１２１の横棒部１２１ｈよりも長い。そして、アーム１２１の縦棒部１２１ｖａおよび１２１ｖｂは、アーム１１１の縦棒部１１１ｖａおよび１１１ｖｂの間の区間内に位置している。
【００２２】
本実施形態では、アーム１１１を薄型スピーカ２００の底面から遠ざかる方向に旋回させ、その後、アーム１２１を薄型スピーカ２００の底面から遠ざかる方向に旋回させることができる。その際、アーム１２１の横棒部１２１ｈは、アーム１１１の横棒部１１１ｈの内側を通過する。
【００２３】
図２は、薄型スピーカ２００の底面におけるアーム１１１の縦棒部１１１ｖａの接続態様の詳細を示す図である。ここで、図２（ａ）はアーム１１１が折り畳まれた状態、図２（ｂ）はアーム１１１を底面から遠ざかる方向に旋回させた状態を示している。図２（ａ）および（ｂ）に示すように、アーム１１１の縦棒部１１１ｖａにおいて、蝶番１１３ａにより薄型スピーカ２００の底面に接続された基端部は、斜めに面取りが施され、薄型スピーカ２００の底面に対して鈍角をなす傾斜部１１１ｖｒが形成されている。この傾斜部１１１ｖｒは、アーム１１１を薄型スピーカ２００の底面から遠ざかる方向に旋回させる際に、図２（ｂ）に示すように、薄型スピーカ２００の底面に押し当てられ、アーム１１１のさらなる旋回を食い止めるストッパとして機能する。アーム１１１の縦棒部１１１ｖｂ、アーム１２１の縦棒部１２１ｖａ、１２１ｖｂの各基点部にも同様なストッパとして機能する傾斜部が形成されている。
【００２４】
本実施形態では、アーム１１１の途中の２箇所にキャスタ１１２ａおよび１１２ｂが取り付けられ、アーム１２１の途中の２箇所にキャスタ１２２ａおよび１２２ｂが取り付けられる。具体的には、図１（ａ）〜（ｃ）に示すように、アーム１１１の２本の縦棒部１１１ｖａおよび１１１ｖｂの横棒部１１１ｈとの連結箇所近傍に、薄型スピーカ２００の底面から遠ざかる旋回方向にキャスタ１１２ａおよび１１２ｂが突出している。また、アーム１２１の２本の縦棒部１２１ｖａおよび１２１ｖｂの横棒部１２１ｈとの連結箇所近傍に、薄型スピーカ２００の底面から遠ざかる旋回方向にキャスタ１２２ａおよび１２２ｂが突出している。キャスタ１１２ａ、１１２ｂ、１２２ａおよび１２２ｂは、各々の車軸を支持する軸受けが縦棒部１１１ｖａ、１１１ｖｂ、１２１ｖａまたは１２１ｖｂに支持されており、各軸受けは各縦棒部に対して回転可能である。
以上が薄型スピーカシステム３００の構成である。
【００２５】
図３（ａ）は、支持装置１００のアーム１１１および１２１を折り畳むことにより搬送機能を活かし、薄型スピーカシステム３００を移動させている状態を示している。この状態では、アーム１１１に取り付けられたキャスタ１１２ａおよび１１２ｂと、アーム１２１に取り付けられたキャスタ１２２ａおよび１２２ｂは、支持対象物である薄型スピーカ２００の底面から地面４００に向けて突出し、地面４００と接触する。このため、ユーザが取っ手２０１を手で掴んで押すと、支持装置１００のキャスタ１１２ａ、１１２ｂ、１２２ａ、１２２ｂが回転して、薄型スピーカ２００を支持する支持装置１００が移動する。
【００２６】
薄型スピーカ２００が目的地に到着すると、ユーザは、支持装置１００の搬送機能を解除し、支持機能を活かすことができる。具体的には、ユーザは、アーム１１１を薄型スピーカ２００の底面から遠ざかる方向に旋回させ、その後、アーム１２１を薄型スピーカ２００の底面から遠ざかる方向に旋回させる。この結果、支持装置１００は、図３（ｂ）に示すように、アーム１１１の先端とアーム１２１の先端が支持対象物である薄型スピーカ２００の厚さ方向に広がる。具体的には、アーム１１１は、縦棒部１１１ｖａおよび１１１ｖｂが薄型スピーカ２００の底面から遠ざかる旋回方向に９０°と１８０°の間の所定角度だけ旋回し、アーム１２１は、縦棒部１２１ｖａおよび１２１ｖｂが薄型スピーカ２００の底面から遠ざかる旋回方向に９０°と１８０°の間の所定角度だけ旋回した状態となる。そして、縦棒部１１１ｖａおよび１１１ｖｂの先端部におけるキャスタ側と反対側の部位と、縦棒部１２１ｖａおよび１２１ｖｂの先端部におけるキャスタ側と反対側の部位が地面４００と接触する。
【００２７】
ここで、縦棒部１１１ｖａおよび１１１ｖｂの各基端部と、縦棒部１２１ｖａおよび１２１ｖｂの各基端部は、薄型スピーカ２００の矩形状の底面において、薄型スピーカ２００の厚さ方向両側の２辺のうちの一方の辺および他方の辺の近傍に位置している。そして、縦棒部１１１ｖａおよび１１１ｖｂと、縦棒部１２１ｖａおよび１２１ｖｂの薄型スピーカ２００の底面からの旋回角度は、いずれも９０°から１８０°の間の鈍角である。従って、縦棒部１１１ｖａおよび１１１ｖｂの地面４００と接触する部位と、縦棒部１２１ｖａおよび１２１ｖｂの地面４００と接触する部位との間に挟まれた区間の長さＬ２は、アーム１１１および１２１が折り畳まれた状態におけるキャスタ１１２ａおよび１１２ｂの組とキャスタ１２２ａおよび１２２ｂの組との間に挟まれた区間の長さＬ１よりも長くなる。従って、本実施形態によれば、支持装置１００は、アーム１１１および１２１の先端を薄型スピーカ２００の厚さ方向に開いて踏ん張った状態で支持対象物である薄型スピーカ２００を安定して支持することができる。本実施形態による支持装置１００は、薄型スピーカ２００の厚さ方向の力に対する安定性に優れているので、例えば薄型スピーカ２００に押しボタン等の操作部があり、その押圧操作が行われる状況でも、薄型スピーカ２００を転倒させることなく支持することができる。
【００２８】
＜他の実施形態＞
以上、この発明の一実施形態について説明したが、この発明には他にも実施形態が考えられる。例えば次の通りである。
【００２９】
（１）アーム１１１および１２１を支持対象物の底面に張り付いた状態または支持対象物の底面から最大限に開いた状態に維持する固定機構を支持装置１００に設けてもよい。
【００３０】
図４（ａ）および（ｂ）は、スプリング１３０からなる固定機構の例を示すものである。この例において、スプリング１３０の一端は、アーム１２１の縦棒部１２１ｖａにおいて、蝶番１２３ａの支持軸の位置から所定距離だけ離れた位置Ｐ１に固定されている。また、スプリング１３０の他端は、薄型スピーカ２００の筐体内部において蝶番１２３ａの支持軸の位置から鉛直方向に所定距離だけ上がった位置Ｐ２に固定されている。
【００３１】
図４（ａ）および（ｂ）には、縦棒部１２１ｖａと薄型スピーカ２００とを接続するスプリング１３０のみが示されているが、同様なスプリングが、縦棒部１１１ｖａ、１１１ｖｂ、１２１ｖｂと薄型スピーカ２００との間にも設けられている。
【００３２】
スプリング１３０およびアーム１２１からなる系は、２つの安定状態を有する。第１の安定状態では、図４（ａ）に示すように、スプリング１３０の収縮力が、縦棒部１２１ｖａを薄型スピーカ２００の底面に押し付けるのに寄与する。
【００３３】
この第１の安定状態において、ユーザは、縦棒部１２１ｖａを薄型スピーカ２００の底面から遠ざける方向に旋回させることができる。そして、縦棒部１２１ｖａの旋回角度がある閾値を越えると、スプリング１３０およびアーム１２１からなる系は、図４（ｂ）に示す第２の安定状態になる。
【００３４】
この第２の安定状態において、スプリング１３０の収縮力は、縦棒部１２１ｖａを薄型スピーカ２００の底面から遠ざかる方向に旋回させ、縦棒部１２１ｖａの先端の傾斜部１２１ｖｒを薄型スピーカ２００の底面に押し付けるのに寄与する。
【００３５】
この第２の安定状態において、ユーザは、縦棒部１２１ｖａを薄型スピーカ２００の底面に近づける方向に旋回させることができる。そして、縦棒部１２１ｖａの旋回角度がある閾値を越えると、スプリング１３０およびアーム１２１からなる系は、図４（ａ）に示す第１の安定状態になる。
【００３６】
以上、縦棒部１２１ｖａの挙動を例に説明したが、他の縦棒部１１１ｖａ、１１１ｖｂ、１２１ｖｂの挙動も同様である。
【００３７】
この態様によれば、ユーザは、手動操作により、支持装置１００のアーム１１１または１２１を第１の安定状態から第２の安定状態に、第２の安定状態から第１の安定状態に切り換えることができる。また、ユーザが手動操作を行わない場合には、支持装置１００のアーム１１１および１２１は、第１の安定状態または第２の安定状態を維持する。従って、この態様によれば、支持装置１００の搬送機能を活かすか、支持機能を活かすかの切り換え操作が容易になるという効果が得られる。
【００３８】
（２）図５に示すように、アーム１１１および１２１を折り畳んだ状態での薄型スピーカ２００の底面の地面までの距離Ｈ１よりも突出長Ｈ２が短い支持部材１４０を薄型スピーカ２００の底面に設けてもよい。この態様によれば、アーム１１１および１２１の先端を広げたとき、アーム１１１および１２１に加えて支持部材１４０が薄型スピーカ２００を下方から支えるので、支持可能な薄型スピーカ２００の最大重量を大きくすることができる。
【００３９】
（３）アームは、上記実施形態の形状のものに限定されない。上記実施形態では、２本の縦棒部と１本の横棒部からなるアームを用いたが、縦棒部のみからなるアームを用いてもよい。
【００４０】
図６（ａ）に示す例では、各々同じ長さの縦棒部である４本のアーム１５１、１５２、１５３、１５４が用いられている。ここで、アーム１５１および１５４の各一端は、薄型スピーカ２００の矩形状の底面の２箇所に蝶番１６１および１６４により接続されている。また、アーム１５２および１５３の各一端は、同底面の別の２箇所に蝶番１６２および１６３により接続されている。アーム１５１〜１５４は、折り畳まれた状態において互いに平行であり、アーム１５２および１５３は、アーム１５１および１５４の内側に位置している。
【００４１】
アーム１５１および１５４は、蝶番１６１および１６４を軸として薄型スピーカ２００の底面から遠ざかる方向に旋回可能である。アーム１５１および１５４の蝶番１６１および１６４と反対側の端部近傍には、薄型スピーカ２００の底面から遠ざかる旋回方向にキャスタ１７１および１７４が突出している。
【００４２】
アーム１５２および１５３は、蝶番１６２および１６３を軸として薄型スピーカ２００の底面から遠ざかる方向に旋回可能である。アーム１５２および１５３の蝶番１６２および１６３と反対側の端部近傍には、薄型スピーカ２００の底面から遠ざかる旋回方向にキャスタ１７２および１７３が突出している。
【００４３】
この態様においても、上記実施形態と同様な効果が得られる。また、この態様において、アーム１５１〜１５４は、横棒部を有していないため、各アームの旋回は他のアームの旋回の妨げにならない。従って、各アームの図面水平方向の並びは任意であり、例えばアーム１５１とアーム１５２の位置関係を逆にしてもよい。
【００４４】
（４）図６（ｂ）に示すように、各々１本の縦棒部と２本の横棒部とからなる２本のアームにより支持装置を構成してもよい。図６（ｂ）において、アーム１８１は、１本の縦棒部１８１ｖと、互いに同じ長さを有し、平行であり、各々の一端が縦棒部１８１ｖの両端に接続された２本の横棒部１８１ｈａおよび１８１ｈｂを有する。横棒部１８１ｈｂは、幅方向両側の２辺のうち横棒部１８１ｈａと反対側の辺の２箇所が、蝶番１８３ａおよび１８３ｂにより、薄型スピーカ２００の底面に接続されている。アーム１８１は、この蝶番１８３ａおよび１８３ｂを軸として、薄型スピーカ２００の底面から遠ざかる方向に旋回可能である。横棒部１８１ｈａには、薄型スピーカ２００の底面から遠ざかる旋回方向にキャスタ１８５ａおよび１８５ｂが突出している。
【００４５】
アーム１８２は、１本の縦棒部１８２ｖと、互いに同じ長さを有し、平行であり、各々の一端が縦棒部１８２ｖの両端に接続された２本の横棒部１８２ｈａおよび１８２ｈｂを有する。横棒部１８２ｈｂは、幅方向両側の２辺のうち横棒部１８２ｈａと反対側の辺の２箇所が、蝶番１８４ａおよび１８４ｂにより、薄型スピーカ２００の底面に接続されている。アーム１８２は、この蝶番１８４ａおよび１８４ｂを軸として、薄型スピーカ２００の底面から遠ざかる方向に旋回可能である。横棒部１８２ｈａには、薄型スピーカ２００の底面から遠ざかる旋回方向にキャスタ１８６ａおよび１８６ｂが突出している。
この態様においても上記実施形態と同様な効果が得られる。
【００４６】
（５）上記実施形態において、直線的な棒状部を組み合わせたアームを使用したが、アームは湾曲した棒状部であってもよい。湾曲した棒状部をアームとして使用する場合、棒状部の両端を基端部として棒状部を旋回させるように構成し、棒状部において基端部から最も外側の区間にキャスタを設ければよい。
【００４７】
（６）上記実施形態において支持対象物の底面は平面であったが、曲面であってもよい。
【００４８】
（７）この発明による支持装置は、地面または床面から浮かせた状態で支持対象物を支持するため、地面や床面の振動が支持対象物に伝わり難い。このため、スピーカ等の音響装置に好適である。また、この発明による支持装置は、複数のアームを広げて、踏ん張った状態で支持対象物を支持するため、支持対象物を支持する際の安定性がよい。従って、押しボタン等の操作部を有する薄型の音響装置の支持装置として好適である。しかしながら、この発明の適用範囲は音響装置に限定されるものではなく、例えばスーツケースの搬送および支持を行う支持装置にも適用可能である。
【符号の説明】
【００４９】
１００……支持装置、２００……薄型スピーカ、３００……薄型スピーカシステム、４００……地面、２０１……取っ手、１１１，１２１，１５１〜１５４，１８１，１８２……アーム、１１１ｈ，１２１ｈ，１８１ｈａ，１８１ｈｂ，１８２ｈａ，１８２ｈｂ……横棒部、１１１ｖａ，１１１ｖｂ，１２１ｖａ，１２１ｖｂ，１８１ｖ，１８２ｖ……縦棒部、１１２ａ，１１２ｂ，１２２ａ，１２２ｂ，１７１〜１７４，１８５ａ，１８５ｂ，１８６ａ，１８６ｂ……キャスタ、１１３ａ，１１３ｂ，１２３ａ，１２３ｂ，１６１，１６２，１６３，１６４，１８３ａ，１８３ｂ，１８４ａ，１８４ｂ……蝶番、１１１ｖｒ，１２１ｖｒ……傾斜部、１３０……スプリング、１４０……支持部材。
【図１】
2019047470.tif 000003
【図２】
2019047470.tif 000004
【図３】
2019047470.tif 000005
【図４】
2019047470.tif 000006
【図５】
2019047470.tif 000007
【図６】
2019047470.tif 000008